(57)【特許請求の範囲】
【請求項１】
断面において円形または円形に近くなる多角形のケース形状であって、上部にゴミの投入口を、下部に排出口をそれぞれ扉により開閉可能に設けると共に、投入口と排出口を前後異なる位置に形成し、通路側に交互に変向できるように反転可能に構成し、内部にゴミを排出口に押し出す掻出羽根を軸支し、外側には掻出羽根を押出し回転させる駆動装置を設け、その駆動装置については、掻出羽根の駆動と同時に排出口扉が開く連動装置とし、排出口にはゴミ回集車の荷受口に突き出すシュートを設けたことを特徴とする集積用ゴミ箱。
【発明の詳細な説明】
【０００１】
【発明の属する技術分野】
この発明は、町内、企業、官庁等においてゴミ集積所に設置する集積用ゴミ箱に関する。
【０００２】
【従来の技術】
袋詰めされたゴミをゴミ集積所に放置されると、悪臭やカラスの害の原因となるため、大型の集積用ゴミ箱が設置されるが、それでも幾つかの問題点が指摘される。
【０００３】
従来の集積用ゴミ箱は、一般的に鉄板、ステンレス板等の金属材料によって前面開口に組み立てられたもので、同一口からゴミを投入したり取り出したりして使用される。また、ゴミを取り出しやすいように、前面がほぼ全開で傾斜した口となっているため、それがゴミを詰め込む量的制約となっているばかりでなく、大きな扉の開閉に非常に困難が伴い、力の乏しい老人等の使用に支障となっている。
【０００４】
また、扉が密閉されていると、悪臭が内部に充満しているため、蓋を開けた時に悪臭に面と向かう不都合があった。扉の開閉を軽くするためと、悪臭の充満をなくするために、扉を網状または格子状にすることもあるが、網状であると壊れやすく、また、格子状であると犬猫に荒らされやすくなるという問題があった。
【０００５】
【発明が解決しようとする課題】
この発明は、上記のような実情に鑑みて、ゴミの投入および取出しが容易であり、ゴミの収容量が多くなり、殊に、取出しについては、自動的に回集車に搬入できるため、作業性が良くなり悪臭に悩まされることもなくなる集積用ゴミ箱を提供することを目的とした。
【０００６】
【課題を解決するための手段】
上記の目的を達成するために、この発明は、断面において円形または円形に近くなる多角形のケース形状であって、上部にゴミの投入口を、下部に排出口をそれぞれ扉により開閉可能に設けると共に、投入口と排出口を前後異なる位置に形成し、通路側に交互に変向できるように反転可能に構成し、内部にゴミを排出口に押し出す掻出羽根を軸支し、外側には掻出羽根を押出し回転させる駆動装置を設け、その駆動装置については、掻出羽根の駆動と同時に排出口扉が開く連動装置とし、排出口にはゴミ回集車の荷受口に突き出すシュートを設けた集積用ゴミ箱を構成した。
【０００７】
上記の構成によれば、投入口が上部に設けてあるので、多くのゴミを収納でき、しかも、落とし込んで容易に投入できる。また、ゴミの回集の際には、駆動装置を操作することによって、回集車にゴミを押し出すことができる。
【０００８】
【発明の実施の形態】
この発明において、排出口２が小さくても、掻出羽根５、６によってゴミの排出が可能であるので、前面に排出口と投入口とを共に小さく設けることも可能である。しかし、前後両面に分けて設けることにより、掻出羽根によりゴミを排出しやすい構造となる。また、この場合、反転するようにしてあるので、通路側において、ゴミの投入と排出とを都合良くなし得ることになる。
【０００９】
駆動装置７については、掻出羽根５、６を回転させ得るならば、手動式、足踏式のいずれであっても良く、また、倍力機構を介する構造とすれば、ゴミを確実に押し出すことができる。さらに、排出口扉に連動するようにしてあるので、回集作業に手数が省け、作業性が良くなる。
【００１０】
排出口扉４については、上下スライド式であっても良く、また、揺動式とするときには、開いてシュート２１を兼ねるようにすることもできる。
【００１１】
設置については、反転式であるが、中心支柱１１を中心に回わる横架材１５に取り付ける方式の他、ケースの中心を中心に反転する方式とすることも可能である。
【００１２】
【発明の効果】
以上説明したように、この発明の集積用ゴミ箱によれば、上部にのみ設けられる小さく軽量な投入口扉を開けて落し込む操作となるので、ゴミの投入が容易であり、しかもゴミの収容量を多く取ることができる。また、ゴミの取出しも容易であるだけでなく、自動的に回集車に搬入できるため、作業性が良くなり、悪臭に悩まされることもなくなる等の優れた効果がある。
【００１３】
【実施例】
次に、この発明の実施例を図面に基づいて説明するが、実施例に限定されないことは言うまでもない。
【００１４】
図１および図２は、一実施例を示したもので、その集積用ゴミ箱Ｐは、横長の角筒形ケースであって、背面にゴミの投入口１を、正面に排出口２をそれぞれ扉３、４で開閉されるように設け、内部にゴミを強制的に押し出す主副一対の掻出羽根５、６を軸支し、両方の掻出羽根５、６と排出口扉４との連動駆動装置７が設けられる。また、背面と正面とを入れ替えるため、中心支柱１１と回動支柱１３との間の横架材１５に取り付けられる。
【００１５】
投入口１は、ケース上半部に斜め上向きに開口され、その上端に扉３が開閉可能に軸支されている。また、その下方には、ゴミを排出口２に案内する斜面底壁１７が形成される。また、排出口２は、上端部を除く下方部に開口され、その口部底壁１９が掻出羽根５、６の作用でゴミを案内しやすく山形断面に形成される。さらに、排出口２には、その山形の一片の延長方向に傾斜するシュート２１を突設し、シュート２１の先端には付属シュート２２が開閉可能に軸支される。
【００１６】
主掻出羽根５については、斜面底壁１７と口部底壁１９の一片との両方に内接する円を仮想すると、その円の中心に架設される原動回転軸２３に取り付けてある。また、ケースの前面の上端近くに従動回転軸２５を設け、それには副掻出羽根６と排出口扉４とが取り付けられる。図２では、実線において初期位置を、二点鎖線において終期位置を示しており、ゴミが投入される通常の状態では、主掻出羽根５が投入口１の上下半ばに向いており、副掻出羽根６がケース上壁に伏している。
【００１７】
連動駆動装置７については、原動回転軸２３と従動回転軸２５とにそれぞれ歯車２７、２９を取り付け、その間にチェーン３１を掛けてある。そこで、ゴミ回集時の作業においては、原動回転軸２３にハンドル３３を取り付け、右回りに回転すると、排出口扉４が開くと同時に、主掻出羽根５が主として下部のゴミを、副掻出羽根６が主として上部のゴミを排出口２に押し出すので、シュート２１に回集車を付けておけばそれに自動的に積み込まれる。
【００１８】
また、いたずら防止用として、排出口扉４にそれを掛止するトンボ様回転羽根３５が、原動回転軸２３についてはロックピン３７がそれぞれ取り付けられる。図２に一点鎖線で示す符号３については、別途形状の（別実施例の）投入口扉であり、図１において、３８はキャスター、４０は、回動支柱１３の取付け取外し用ピンである。
【００１９】
ゴミが投入される使用状態においては、通路側に投入口１を向けておき、回集時には中心支柱１１を中心に例えば９０度または１８０度回転し、排出口２を通路側に反転させる。しかし、その必要のない場所においては、図３に示すように、架台３９の上に設置する。また、図４に示すように、一枚の掻出羽根５のみを使用することもできる。
【図面の簡単な説明】
【図１】  この発明による集積用ゴミ箱等の平面図である。
【図２】  同集積用ゴミ箱の縦断面図である。
【図３】  他の実施例を示す集積用ゴミ箱の縦断面図である。
【図４】  他の実施例を示す集積用ゴミ箱の縦断面図である。
【符号の説明】
Ｐ  集積用ゴミ箱
１  投入口
２  排出口
３  投入口扉
４  排出口扉
５，６  掻出羽根
７  駆動装置
２１  シュート
【図１】
0004306882.tif 000002
【図２】
0004306882.tif 000003
【図３】
0004306882.tif 000004
【図４】
0004306882.tif 000005